(57)【特許請求の範囲】
【請求項１】
第１のコネクタと第２のコネクタとを備えたコネクタセットであって、
前記第１のコネクタは、
それぞれが第１の接触部を有する複数の第１の接続端子と、
接地電位に接続される第１の固定端子と、
を含んでおり、
前記第２のコネクタは、
それぞれが第２の接触部を有する複数の第２の接続端子と、
接地電位に接続される第２の固定端子と、
を含んでおり、
前記複数の第１の接続端子と前記複数の第２の接続端子とはそれぞれ、前記第１のコネクタと前記第２のコネクタとが結合すると、前記第１の接触部と前記第２の接触部とにおいて接触し、
前記第１の固定端子と前記第２の固定端子とは、前記第１のコネクタと前記第２のコネクタとの結合を保持するために互いに接触し、かつ、該第１のコネクタと該第２のコネクタとが結合すると、第１の方向から見たときに、前記第１の接触部及び前記第２の接触部の周囲を囲む環を有しており、
前記複数の第１の接続端子はそれぞれ、前記第１の方向から見たときに、前記第１の接触部から第２の方向の一方側に向かって延在しており、
前記複数の第２の接続端子はそれぞれ、前記第１の方向から見たときに、前記第２の接触部から前記第２の方向の他方側に向かって延在しており、
前記第１の固定端子は、前記第１の方向から見たときに、前記環において前記複数の第１の接触部に対して前記第２の方向の一方側に位置する第１の部分が切り欠かれた構造を
有しており、
前記第１の接続端子は、前記第１の方向から見たときに、前記第１の部分を介して前記環の外側へと引き出されていること、
を特徴とするコネクタセット。
【請求項２】
第１のコネクタと第２のコネクタとを備えたコネクタセットであって、
前記第１のコネクタは、
それぞれが第１の接触部を有する複数の第１の接続端子と、
接地電位に接続される第１の固定端子と、
を含んでおり、
前記第２のコネクタは、
それぞれが第２の接触部を有する複数の第２の接続端子と、
接地電位に接続される第２の固定端子と、
を含んでおり、
前記複数の第１の接続端子と前記複数の第２の接続端子とはそれぞれ、前記第１のコネクタと前記第２のコネクタとが結合すると、前記第１の接触部と前記第２の接触部とにおいて接触し、
前記第１の固定端子と前記第２の固定端子とは、前記第１のコネクタと前記第２のコネクタとの結合を保持するために互いに接触し、かつ、該第１のコネクタと該第２のコネクタとが結合すると、第１の方向から見たときに、前記第１の接触部及び前記第２の接触部の周囲を囲む環を有しており、
前記第１のコネクタは、
前記第１の接続端子及び前記第１の固定端子を保持する第１の絶縁性部材を、
更に含んでおり、
前記第１の固定端子は、
前記環の第１の部分が切り欠かれた構造を有する第１の本体部と、
前記第１の本体部から前記環の内側に向かって突出する第１の突起部と、
を有しており、
前記第１の絶縁性部材が前記第１の突起部においてのみ前記第１の固定端子を保持することにより、前記第１の方向から見たときに、前記第１の本体部と該第１の絶縁性部材との間には隙間が設けられていること、
を特徴とするコネクタセット。
【請求項３】
第１のコネクタと第２のコネクタとを備えたコネクタセットであって、
前記第１のコネクタは、
それぞれが第１の接触部を有する複数の第１の接続端子と、
接地電位に接続される第１の固定端子と、
を含んでおり、
前記第２のコネクタは、
それぞれが第２の接触部を有する複数の第２の接続端子と、
接地電位に接続される第２の固定端子と、
を含んでおり、
前記複数の第１の接続端子と前記複数の第２の接続端子とはそれぞれ、前記第１のコネクタと前記第２のコネクタとが結合すると、前記第１の接触部と前記第２の接触部とにおいて接触し、
前記第１の固定端子と前記第２の固定端子とは、前記第１のコネクタと前記第２のコネクタとの結合を保持するために互いに接触し、かつ、該第１のコネクタと該第２のコネクタとが結合すると、第１の方向から見たときに、前記第１の接触部及び前記第２の接触部の周囲を囲む環を有しており、
前記第１の固定端子と前記第２の固定端子とは、前記第１の方向から見たときに、第２の方向に延在する辺及び前記第２の方向に直交する第３の方向に延在する辺を有する長方形状の環を有しており、
前記第２の固定端子は、前記第１のコネクタと前記第２のコネクタとが結合する際に、前記第１の固定端子に対して前記第１の方向の一方側から挿入され、
前記長方形状の環は、前記第２の方向の一方側であって前記第３の方向の一方側に位置する第１の角部、及び、該第２の方向の他方側であって該第３の方向の他方側に位置する第２の角部を有しており、
前記第２の固定端子の外周面は、前記第１の方向から見たときに、前記第１の角部において前記第２の方向の一方側を向く第１の面及び前記第３の方向の一方側を向く第２の面を含んでおり、前記第２の角部において前記第２の方向の他方側を向く第３の面及び前記第３の方向の他方側を向く第４の面を含んでおり、
前記第１の固定端子の内周面は、前記第１の方向から見たときに、前記第１の角部において前記第２の方向の他方側を向く第５の面及び前記第３の方向の他方側を向く第６の面を含んでおり、前記第２の角部において前記第２の方向の一方側を向く第７の面及び前記第３の方向の一方側を向く第８の面を含んでいること、
を特徴とするコネクタセット。
【請求項４】
第１のコネクタと第２のコネクタとを備えたコネクタセットであって、
前記第１のコネクタは、
それぞれが第１の接触部を有する複数の第１の接続端子と、
接地電位に接続される第１の固定端子と、
を含んでおり、
前記第２のコネクタは、
それぞれが第２の接触部を有する複数の第２の接続端子と、
接地電位に接続される第２の固定端子と、
を含んでおり、
前記複数の第１の接続端子と前記複数の第２の接続端子とはそれぞれ、前記第１のコネクタと前記第２のコネクタとが結合すると、前記第１の接触部と前記第２の接触部とにおいて接触し、
前記第１の固定端子と前記第２の固定端子とは、前記第１のコネクタと前記第２のコネクタとの結合を保持するために互いに接触し、かつ、該第１のコネクタと該第２のコネクタとが結合すると、第１の方向から見たときに、前記第１の接触部及び前記第２の接触部の周囲を囲む環を有しており、
前記複数の第１の接続端子は、同軸ケーブルと接続される信号端子を含み、
前記第１の固定端子には、前記同軸ケーブルを取り付けるためのカシメ部が設けられており、
前記複数の第１の接続端子は、接地電位に保たれる接地端子をさらに含み、
前記第１の固定端子には、複数の前記同軸ケーブルを取り付けるための複数のカシメ部が設けられ、
前記複数のカシメ部は、所定方向に並ぶ第１のカシメ部及び第２のカシメ部を含み、
前記第１のカシメ部及び前記第２のカシメ部の間において、前記接地端子と前記第１の固定端子とが接触していること、
を特徴とするコネクタセット。
【請求項５】
前記複数の第１の接触部及び前記複数の第２の接触部は、前記第１の方向から見たときに、前記第２の方向に直交する第３の方向に一列に並んでいること、
を特徴とする請求項１に記載のコネクタセット。
【請求項６】
前記第１の面と前記第２の面とは、前記第２の固定端子の前記第１の方向の他方側の端部において凸状の曲面を構成しており、
前記第３の面と前記第４の面とは、前記第２の固定端子の前記第１の方向の他方側の端部において凸状の曲面を構成しており、
前記第５の面と前記第６の面とは、前記第１の固定端子の前記第１の方向の一方側の端部において凹状の曲面を構成しており、
前記第７の面と前記第８の面とは、前記第１の固定端子の前記第１の方向の一方側の端部において凹状の曲面を構成していること、
を特徴とする請求項３に記載のコネクタセット。
【請求項７】
前記第２の固定端子の外周面には、前記第１の角部及び前記第２の角部のそれぞれにおいて、第１の凹部及び第２の凹部が設けられており、
前記第１の固定端子の内周面には、前記第１の角部及び前記第２の角部のそれぞれにおいて、第１の凸部及び第２の凸部が設けられており、
前記第１の凸部と前記第１の凹部とが係合し、前記第２の凸部と前記第２の凹部とが係合すること、
を特徴とする請求項３又は請求項６のいずれかに記載のコネクタセット。
【請求項８】
前記複数の第１の接続端子及び前記複数の第２の接続端子には、信号電位と接地電位とが交互に接続されていること、
を特徴とする請求項５に記載のコネクタセット。
【請求項９】
前記複数の第１の接続端子の内、前記第３の方向の両端に位置する２つの前記第１の接続端子には、信号電位に接続されていること、
を特徴とする請求項８に記載のコネクタセット。
【請求項１０】
複数の第２の接続端子と第２の固定端子とを備えた第２のコネクタに対して結合する第１のコネクタであって、
複数の第１の接続端子と、
前記第１のコネクタと前記第２のコネクタとの結合を保持するために前記第２の固定端子に接触し、かつ、接地電位に接続される第１の固定端子と、
前記第１の接続端子及び前記第１の固定端子を保持する第１の絶縁性部材と、
を含んでおり、
前記複数の第１の接続端子はそれぞれ、前記第１のコネクタと前記第２のコネクタとが結合すると、第１の接触部において前記複数の第２の接続端子と接触し、
前記第１の固定端子は、第１の方向から見たときに、前記複数の第１の接触部を囲む長方形状の環の４つの辺に沿う部分を有すると共に、該長方形状の環の一部が切り欠かれた形状を有しており、
前記第１の固定端子は、
前記長方形状の環の第１の部分が切り欠かれた構造を有する第１の本体部と、
前記第１の本体部から前記長方形状の環の内側に向かって突出する第１の突起部と、
を有しており、
前記第１の絶縁性部材が前記第１の突起部においてのみ前記第１の固定端子を保持することにより、前記第１の方向から見たときに、前記第１の本体部と該第１の絶縁性部材との間には隙間が設けられていること、
を特徴とする第１のコネクタ。
【発明の詳細な説明】
【技術分野】
【０００１】
本発明は、コネクタセット及びコネクタに関し、より特定的には、高周波信号の伝送に用いられるコネクタセット及びコネクタに関する。
【背景技術】
【０００２】
従来のコネクタセットに関する発明としては、例えば、特許文献１に記載の基板対基板コネクタの第１コネクタが知られている。第１コネクタは、第１ハウジング、複数の第１端子及び２つの第１補強金具を備えている。第１ハウジングは、例えば、樹脂により作製され、長方形状を有する板状部材である。複数の第１端子は、第１ハウジングの２つの長辺に沿って設けられている。２つの第１補強金具は、第１ハウジングの長手方向の両端に設けられている。
【０００３】
以上のような第１コネクタは、第２コネクタと結合して用いられる。そして、第１端子は、信号電位又は接地電位に接続され、第１補強金具は、接地電位に接続される。
【０００４】
ところで、特許文献１に記載の第１コネクタでは、第１の補強金具は、第１ハウジングの長手方向の両端にしか設けられていない。そのため、特許文献１に記載の第１コネクタでは、耐ノイズ性において問題があった。
【先行技術文献】
【特許文献】
【０００５】
【特許文献１】特開２０１２−７９６８４号公報
【発明の概要】
【発明が解決しようとする課題】
【０００６】
そこで、本発明の目的は、耐ノイズ性を向上させることができるコネクタセット及びコネクタを提供することである。
【課題を解決するための手段】
【０００７】
本発明の第１の形態に係るコネクタセットは、第１のコネクタと第２のコネクタとを備えたコネクタセットであって、前記第１のコネクタは、それぞれが第１の接触部を有する複数の第１の接続端子と、接地電位に接続される第１の固定端子と、を含んでおり、前記第２のコネクタは、それぞれが第２の接触部を有する複数の第２の接続端子と、接地電位に接続される第２の固定端子と、を含んでおり、前記複数の第１の接続端子と前記複数の第２の接続端子とはそれぞれ、前記第１のコネクタと前記第２のコネクタとが結合すると、前記第１の接触部と前記第２の接触部とにおいて接触し、前記第１の固定端子と前記第２の固定端子とは、前記第１のコネクタと前記第２のコネクタとの結合を保持するために互いに接触し、かつ、該第１のコネクタと該第２のコネクタとが結合すると、第１の方向から見たときに、前記第１の接触部及び前記第２の接触部の周囲を囲む環を有しており、前記複数の第１の接続端子はそれぞれ、前記第１の方向から見たときに、前記第１の接触部から第２の方向の一方側に向かって延在しており、前記複数の第２の接続端子はそれぞれ、前記第１の方向から見たときに、前記第２の接触部から前記第２の方向の他方側に向かって延在しており、前記第１の固定端子は、前記第１の方向から見たときに、前記環において前記複数の第１の接触部に対して前記第２の方向の一方側に位置する第１の部分が切り欠かれた構造を有しており、前記第１の接続端子は、前記第１の方向から見たときに、前記第１の部分を介して前記環の外側へと引き出されていること、を特徴とする。
本発明の第２の形態に係るコネクタセットは、第１のコネクタと第２のコネクタとを備えたコネクタセットであって、前記第１のコネクタは、それぞれが第１の接触部を有する複数の第１の接続端子と、接地電位に接続される第１の固定端子と、を含んでおり、前記第２のコネクタは、それぞれが第２の接触部を有する複数の第２の接続端子と、接地電位に接続される第２の固定端子と、を含んでおり、前記複数の第１の接続端子と前記複数の第２の接続端子とはそれぞれ、前記第１のコネクタと前記第２のコネクタとが結合すると、前記第１の接触部と前記第２の接触部とにおいて接触し、前記第１の固定端子と前記第２の固定端子とは、前記第１のコネクタと前記第２のコネクタとの結合を保持するために互いに接触し、かつ、該第１のコネクタと該第２のコネクタとが結合すると、第１の方向から見たときに、前記第１の接触部及び前記第２の接触部の周囲を囲む環を有しており、前記第１のコネクタは、前記第１の接続端子及び前記第１の固定端子を保持する第１の絶縁性部材を、更に含んでおり、前記第１の固定端子は、前記環の第１の部分が切り欠かれた構造を有する第１の本体部と、前記第１の本体部から前記環の内側に向かって突出する第１の突起部と、を有しており、前記第１の絶縁性部材が前記第１の突起部においてのみ前記第１の固定端子を保持することにより、前記第１の方向から見たときに、前記第１の本体部と該第１の絶縁性部材との間には隙間が設けられていること、を特徴とする。
本発明の第３の形態に係るコネクタセットは、第１のコネクタと第２のコネクタとを備えたコネクタセットであって、前記第１のコネクタは、それぞれが第１の接触部を有する複数の第１の接続端子と、接地電位に接続される第１の固定端子と、を含んでおり、前記第２のコネクタは、それぞれが第２の接触部を有する複数の第２の接続端子と、接地電位に接続される第２の固定端子と、を含んでおり、前記複数の第１の接続端子と前記複数の第２の接続端子とはそれぞれ、前記第１のコネクタと前記第２のコネクタとが結合すると、前記第１の接触部と前記第２の接触部とにおいて接触し、前記第１の固定端子と前記第２の固定端子とは、前記第１のコネクタと前記第２のコネクタとの結合を保持するために互いに接触し、かつ、該第１のコネクタと該第２のコネクタとが結合すると、第１の方向から見たときに、前記第１の接触部及び前記第２の接触部の周囲を囲む環を有しており、前記第１の固定端子と前記第２の固定端子とは、前記第１の方向から見たときに、第２の方向に延在する辺及び前記第２の方向に直交する第３の方向に延在する辺を有する長方形状の環を有しており、前記第２の固定端子は、前記第１のコネクタと前記第２のコネクタとが結合する際に、前記第１の固定端子に対して前記第１の方向の一方側から挿入され、前記長方形状の環は、前記第２の方向の一方側であって前記第３の方向の一方側に位置する第１の角部、及び、該第２の方向の他方側であって該第３の方向の他方側に位置する第２の角部を有しており、前記第２の固定端子の外周面は、前記第１の方向から見たときに、前記第１の角部において前記第２の方向の一方側を向く第１の面及び前記第３の方向の一方側を向く第２の面を含んでおり、前記第２の角部において前記第２の方向の他方側を向く第３の面及び前記第３の方向の他方側を向く第４の面を含んでおり、前記第１の固定端子の内周面は、前記第１の方向から見たときに、前記第１の角部において前記第２の方向の他方側を向く第５の面及び前記第３の方向の他方側を向く第６の面を含んでおり、前記第２の角部において前記第２の方向の一方側を向く第７の面及び前記第３の方向の一方側を向く第８の面を含んでいること、を特徴とする。
本発明の第４の形態に係るコネクタセットは、第１のコネクタと第２のコネクタとを備えたコネクタセットであって、前記第１のコネクタは、それぞれが第１の接触部を有する複数の第１の接続端子と、接地電位に接続される第１の固定端子と、を含んでおり、前記第２のコネクタは、それぞれが第２の接触部を有する複数の第２の接続端子と、接地電位に接続される第２の固定端子と、を含んでおり、前記複数の第１の接続端子と前記複数の第２の接続端子とはそれぞれ、前記第１のコネクタと前記第２のコネクタとが結合すると、前記第１の接触部と前記第２の接触部とにおいて接触し、前記第１の固定端子と前記第２の固定端子とは、前記第１のコネクタと前記第２のコネクタとの結合を保持するために互いに接触し、かつ、該第１のコネクタと該第２のコネクタとが結合すると、第１の方向から見たときに、前記第１の接触部及び前記第２の接触部の周囲を囲む環を有しており、前記複数の第１の接続端子は、同軸ケーブルと接続される信号端子を含み、前記第１の固定端子には、前記同軸ケーブルを取り付けるためのカシメ部が設けられており、前記複数の第１の接続端子は、接地電位に保たれる接地端子をさらに含み、前記第１の固定端子には、複数の前記同軸ケーブルを取り付けるための複数のカシメ部が設けられ、前記複数のカシメ部は、所定方向に並ぶ第１のカシメ部及び第２のカシメ部を含み、前記第１のカシメ部及び前記第２のカシメ部の間において、前記接地端子と前記第１の固定端子とが接触していること、を特徴とする。
【０００８】
本発明の第５の形態に係る第１のコネクタは、複数の第２の接続端子と第２の固定端子とを備えた第２のコネクタに対して結合する第１のコネクタであって、複数の第１の接続端子と、前記第１のコネクタと前記第２のコネクタとの結合を保持するために前記第２の固定端子に接触し、かつ、接地電位に接続される第１の固定端子と、前記第１の接続端子及び前記第１の固定端子を保持する第１の絶縁性部材を、を含んでおり、前記複数の第１の接続端子はそれぞれ、前記第１のコネクタと前記第２のコネクタとが結合すると、第１の接触部において前記複数の第２の接続端子と接触し、前記第１の固定端子は、第１の方向から見たときに、前記複数の第１の接触部を囲む長方形状の環の４つの辺に沿う部分を有すると共に、該長方形状の環の一部が切り欠かれた形状を有しており、前記第１の固定端子は、前記長方形状の環の第１の部分が切り欠かれた構造を有する第１の本体部と、前記第１の本体部から前記長方形状の環の内側に向かって突出する第１の突起部と、を有しており、前記第１の絶縁性部材が前記第１の突起部においてのみ前記第１の固定端子を保持することにより、前記第１の方向から見たときに、前記第１の本体部と該第１の絶縁性部材との間には隙間が設けられていること、を特徴とする。
【発明の効果】
【０００９】
本発明によれば、耐ノイズ性を向上させることができる。
【図面の簡単な説明】
【００１０】
【図１】雌コネクタ１０の外観斜視図である。
【図２Ａ】雌コネクタ１０を上側から見た図である。
【図２Ｂ】雌コネクタ１０を下側から見た図である。
【図２Ｃ】雌コネクタ１０を前側から見た図である。
【図３Ａ】固定端子１２の外観斜視図である。
【図３Ｂ】固定端子１２を上側から見た図である。
【図４】絶縁性部材１６の外観斜視図である。
【図５】接続端子１４ａ〜１４ｃの外観斜視図である。
【図６】製造中における雌コネクタ１０の斜視図である。
【図７】製造中における雌コネクタ１０の斜視図である。
【図８】製造中における雌コネクタ１０の斜視図である。
【図９】製造中における雌コネクタ１０の斜視図である。
【図１０】雄コネクタ５０の外観斜視図である。
【図１１Ａ】雄コネクタ５０を篏合方向において雌コネクタ１０側から雄コネクタ５０側に向かう下側から見た図である。
【図１１Ｂ】雄コネクタ５０を上側から見た図である。
【図１１Ｃ】雄コネクタ５０を後側から見た図である。
【図１２Ａ】固定端子５２の外観斜視図である。
【図１２Ｂ】固定端子５２を下側から見た図である。
【図１３】絶縁性部材５６の外観斜視図である。
【図１４】接続端子５４ａ〜５４ｃの外観斜視図である。
【図１５】製造中における雄コネクタ５０の斜視図である。
【図１６】製造中における雄コネクタ５０の斜視図である。
【図１７】製造中における雄コネクタ５０の斜視図である。
【図１８Ａ】コネクタセット１００の外観斜視図である。
【図１８Ｂ】コネクタセット１００を上側から見た図である。
【図１８Ｃ】コネクタセット１００を前側から見た図である。
【図１８Ｄ】図１８Ｃのコネクタセット１００のＤ−Ｄにおける断面構造図である。
【図１８Ｅ】図１８Ｃのコネクタセット１００のＥ−Ｅにおける断面構造図である。
【図１９Ａ】コネクタセット１００を前側から見た図である。
【図１９Ｂ】図１９Ａのコネクタセット１００のＡ−Ａにおける断面構造図である。
【図１９Ｃ】図１９Ａのコネクタセット１００のＨ−Ｈにおける断面構造図である。
【図２０Ａ】コネクタセット１００を前側から見た図である。
【図２０Ｂ】図２０Ａのコネクタセット１００のＢ−Ｂにおける断面構造図である。
【図２０Ｃ】図２０Ａのコネクタセット１００のＧ−Ｇにおける断面構造図である。
【図２１Ａ】コネクタセット１００を前側から見た図である。
【図２１Ｂ】図２１Ａのコネクタセット１００のＣ−Ｃにおける断面構造図である。
【図２１Ｃ】図２１Ａのコネクタセット１００のＦ−Ｆにおける断面構造図である。
【図２２】雌コネクタ１０Ａに同軸ケーブルを取り付け状態の外観斜視図である。
【図２３】雌コネクタ１０Ａの分解斜視図である。
【発明を実施するための形態】
【００１１】
以下に、本発明の一実施形態に係る雄コネクタ、雌コネクタ及びコネクタセットについて説明する。
【００１２】
（雌コネクタの構成）
以下に、コネクタセットの雌コネクタ（第１のコネクタ）の構成について図面を参照しながら説明する。図１は、雌コネクタ１０の外観斜視図である。図２Ａは、雌コネクタ１０を篏合方向において雄コネクタ５０側から雌コネクタ１０側に向かう上側から見た図である。図２Ｂは、雌コネクタ１０を下側から見た図である。図２Ｃは、雌コネクタ１０を前側から見た図である。図３Ａは、固定端子１２の外観斜視図である。図３Ｂは、固定端子１２を上側から見た図である。図４は、絶縁性部材１６の外観斜視図である。図５は、接続端子１４ａ〜１４ｃの外観斜視図である。
【００１３】
以下では、図１の環状の固定端子１２の中心軸の方向を上下方向（第１の方向）と呼ぶ。また、雌コネクタ１０を上側から見たときにおいて、長方形状を有する固定端子１２の長手方向を左右方向（第３の方向）と定義し、短手方向を前後方向（第２の方向）と定義する。
【００１４】
雌コネクタ１０は、例えば、回路基板やフレキシブル配線上に実装され、図１及び図２Ａ〜図２Ｃに示すように、固定端子１２、接続端子１４ａ〜１４ｃ及び絶縁性部材１６を備えている。
【００１５】
固定端子１２は、接地電位に接続される導体であり、図３Ａ及び図３Ｂに示すように、上側から見たときに、長方形状の環の一部が切り欠かれた形状を有している。略長方形状の環の長辺は、左右方向に延在し、略長方形状の環の短辺は前後方向に延在している。固定端子１２は、一枚の金属板に折り曲げ加工が施されることにより作製され、例えば、リン青銅等の銅系材料により作製されている。
【００１６】
固定端子１２は、本体部２１、突起部２４ａ，２４ｂ及び接続部２６を含んでいる。本体部２１は、下部２０及び上部２２ａ〜２２ｄを有している。下部２０は、上下方向に延在する中心軸の周囲を周回する帯状の導体であり、上側から見たときに、長方形状の環の一部が切り欠かれた形状を有している。本実施形態では、下部２０は、前側の長辺の一部が切り欠かれた形状を有している。ただし、下部２０は、右側の短辺、左側の短辺、後ろ側の長辺及び前側の長辺の一部を有している。すなわち、下部２０は、長方形状の環の４つの辺に沿う部分を有している。また、下部２０の４つの角は、丸く加工されている。
【００１７】
上部２２ａは、下部２０の左後ろの角上に接続されており、本体部２１の上端を構成している。また、上部２２ａは、上側から見たときに、Ｌ字型を有している。ただし、上部２２ａの角は、丸く加工されている。そして、上部２２ａの内周面は、前上側を向く面Ｓ１１及び右上側を向く面Ｓ１２を含んでいる。更に、面Ｓ１１と面Ｓ１２とは、凸状の曲面を構成している。
【００１８】
また、面Ｓ１１と面Ｓ１２とは、下部２０に対して長方形状の環の内側に向かって突出している。これにより、本体部２１の内周面における左後ろの角に、凸部Ｐａが設けられている。
【００１９】
上部２２ｂは、下部２０の右後ろの角上に接続されており、本体部２１の上端を構成している。また、上部２２ｂは、上側から見たときに、Ｌ字型を有している。ただし、上部２２ｂの角は、丸く加工されている。そして、上部２２ｂの内周面は、前上側を向く面Ｓ１３及び左上側を向く面Ｓ１４を含んでいる。更に、面Ｓ１３と面Ｓ１４とは、凸状の曲面を構成している。
【００２０】
また、面Ｓ１３と面Ｓ１４とは、下部２０に対して長方形状の環の内側に向かって突出している。これにより、本体部２１の内周面における右後ろの角に、凸部Ｐｂが設けられている。
【００２１】
上部２２ｃは、下部２０の左前の角上に接続されており、本体部２１の上端を構成している。また、上部２２ｃは、上側から見たときに、Ｌ字型を有している。ただし、上部２２ｃの角は、丸く加工されている。そして、上部２２ｃの内周面は、後ろ上側を向く面Ｓ１５及び右上側を向く面Ｓ１６を含んでいる。更に、面Ｓ１５と面Ｓ１６とは、凸状の曲面を構成している。
【００２２】
また、面Ｓ１５と面Ｓ１６とは、下部２０に対して長方形状の環の内側に向かって突出している。これにより、本体部２１の内周面における左前の角に、凸部Ｐｃが設けられている。
【００２３】
上部２２ｄは、下部２０の右前の角上に接続されており、本体部２１の上端を構成している。また、上部２２ｄは、上側から見たときに、Ｌ字型を有している。ただし、上部２２ｄの角は、丸く加工されている。そして、上部２２ｄの内周面は、後ろ上側を向く面Ｓ１７及び左上側を向く面Ｓ１８を含んでいる。更に、面Ｓ１７と面Ｓ１８とは、凸状の曲面を構成している。
【００２４】
また、面Ｓ１７と面Ｓ１８とは、下部２０に対して長方形状の環の内側に向かって突出している。これにより、本体部２１の内周面における右前の角に、凸部Ｐｄが設けられている。
【００２５】
突起部２４ａは、下部２０の左側の短辺の下端に接続されており、下部２０に対して右側に向かって折り曲げられている。突起部２４ｂは、下部２０の右側の短辺の下端に接続されており、下部２０に対して左側に向かって折り曲げられている。よって、突起部２４ａ，２４ｂは、上側から見たときに、長方形状の環の内側に向かって突出している。
【００２６】
接続部２６は、下部２０の後ろ側の長辺の下端に接続されており、下部２０に対して後ろ側に向かって折り曲げられている。
【００２７】
絶縁性部材１６は、上側から見たときに、八角形状を有するブロックであり、例えば、液晶ポリマー等の絶縁性の樹脂により作製されている。絶縁性部材１６は、固定端子１２及び接続端子１４ａ〜１４ｃを保持する。絶縁性部材１６の上面には、前後方向に延在する溝Ｇ１〜Ｇ３が設けられている。溝Ｇ１〜Ｇ３は、左側から右側へとこの順に並んでいる。溝Ｇ１〜Ｇ３は、絶縁性部材１６を上下方向に貫通している。絶縁性部材１６は、図２Ａ及び図２Ｂに示すように、上側から見たときに、本体部２１に囲まれている。また、突起部２４ａ，２４ｂの先端は、絶縁性部材１６に刺さっている。すなわち、絶縁性部材１６は、突起部２４ａ，２４ｂにおいてのみ固定端子１２を保持している。これにより、上側から見たときに、本体部２１と絶縁性部材１６との間には隙間が設けられている。接続端子が信号電位に接続されるとは、接続端子に信号が伝送されるように結線されることである。
【００２８】
接続端子１４ａ〜１４ｃはそれぞれ、信号電位又は接地電位に接続される導体である。本実施形態では、左右方向の両端に位置する接続端子１４ａ，１４ｃは、信号が印加されている信号端子である。また、接続端子１４ｂは、接地電位に接続されている接地端子である。これにより、接続端子１４ａ〜１４ｃでは、信号端子と接地端子とが交互に配置されている。接続端子１４ａ〜１４ｃは、図５に示すように、１本の棒状の導体が折り曲げ加工されることにより作製されており、例えば、リン青銅等の銅系材料により作製されている。接続端子１４ａ〜１４ｃは、接続部３０ａ〜３０ｃ及び接触部３２ａ〜３２ｃを含んでいる。
【００２９】
接触部３２ａ〜３２ｃは、右側から見たときに、上側が開口したＵ字型を有している。また、接触部３２ａ〜３２ｃの上後ろ側の端部は、わずかに後ろ側に折り曲げられている。接触部３２ａ〜３２ｃの上前側の端部は、わずかに前側に折り曲げられている。接続部３０ａ〜３０ｃはそれぞれ、接触部３２ａ〜３２ｃの上前側の端部に接続されている。接続部３０ａ〜３０ｃはそれぞれ、右側から見たときに、Ｌ字型を有しており、接触部３２ａ〜３２ｃの上前側の端部から下側に向かって延在した後、前側に向かって延在している。すなわち、接続端子１４ａ〜１４ｃはそれぞれ、上側から見たときに、接触部３２ａ〜３２ｃから前側に向かって延在している。
【００３０】
以上のように構成された接続端子１４ａ〜１４ｃはそれぞれ、溝Ｇ１〜Ｇ３に取り付けられる。具体的には、接続端子１４ａ〜１４ｃはそれぞれ、下側から溝Ｇ１〜Ｇ３に対して挿入される。これにより、接続端子１４ａ〜１４ｃの接触部３２ａ〜３２ｃは、上側から見たときに、長方形状の環の内部において左側から右側へとこの順に一列に並んでいる。
【００３１】
また、接続端子１４ａ〜１４ｃの接続部３０ａ〜３０ｃは、絶縁性部材１６の下側において前側へと突出している。ここで、固定端子１２は、上側から見たときに、前側の長辺の一部が切り欠かれている。そして、接続端子１４ａ〜１４ｃは、図２Ａ及び図２Ｂに示すように、上側から見たときに、固定端子１２の切り欠かれた部分を介して長方形状の環（すなわち、固定端子１２）外側に引き出されている。
【００３２】
また、下側から見たときに、図２Ｂに示すように、下部２０と接続端子１４ａとの最短距離Ｄ１と突起部２４ａと接続端子１４ａとの最短距離Ｄ２とは、実質的に等しい。同様に、下部２０と接続端子１４ｃとの最短距離Ｄ１と突起部２４ｂと接続端子１４ｃとの最短距離Ｄ２とは、実質的に等しい。更に、接続端子１４ａと接続端子１４ｂとの距離Ｄ３及び接続端子１４ｂと接続端子１４ｃとの距離Ｄ３は、最短距離Ｄ１，Ｄ２と実質的に等しい。
【００３３】
以上のように構成された雌コネクタ１０は、回路基板に実装される。具体的には、回路基板に設けられたランド電極に対して突起部２４ａ，２４ｂ、接続部２６及び接続部３０ａ〜３０ｃがはんだにより接続される。
【００３４】
（雌コネクタの製造方法）
次に、雌コネクタ１０の製造方法について図面を参照しながら説明する。図６ないし図９は、製造中における雌コネクタ１０の斜視図である。
【００３５】
まず、図６に示すように、固定端子１２を準備する。固定端子１２は、例えば、リン青銅等の銅系材料が折り曲げ加工されることにより作製される。
【００３６】
次に、図７に示すように、射出成形により、絶縁性部材１６を成形する。この際、固定端子１２の突起部２４ａ，２４ｂの先端が絶縁性部材１６に埋め込まれるように固定端子１２を配置して、絶縁性部材１６を固定端子１２と一体的にインサートモールド成形する。
【００３７】
次に、図８及び図９に示すように、接続端子１４ａ〜１４ｃをそれぞれ溝Ｇ１〜Ｇ３に下側から挿入して、絶縁性部材１６に対して取り付ける。なお、接続端子１４ａ〜１４ｃは、絶縁性部材１６と一体的に成形されていない。よって、接続端子１４ａ〜１４ｃは、自身の弾性によりわずかに変形することができる。以上の工程により、雌コネクタ１０が完成する。
【００３８】
（雄コネクタの構成）
以下に、コネクタセットの雄コネクタ（第２のコネクタ）の構成について図面を参照しながら説明する。図１０は、雄コネクタ５０の外観斜視図である。図１１Ａは、雄コネクタ５０を篏合方向において雌コネクタ１０側から雄コネクタ５０側に向かう下側から見た図である。図１１Ｂは、雄コネクタ５０を上側から見た図である。図１１Ｃは、雄コネクタ５０を後側から見た図である。図１２Ａは、固定端子５２の外観斜視図である。図１２Ｂは、固定端子５２を下側から見た図である。図１３は、絶縁性部材５６の外観斜視図である。図１４は、接続端子５４ａ〜５４ｃの外観斜視図である。
【００３９】
以下では、図１０の雄コネクタ５０と雌コネクタ１０とが篏合する方向を上下方向とする。ただし、図１０では、図１と比べて上下が紙面上で反転している。また、雄コネクタ５０を下側から見たときにおいて、長手方向を左右方向と定義し、短手方向を前後方向と定義する。ただし、図１０では、図１と比べて前後方向も紙面上で反転している。すなわち、図１０の紙面上における前後方向、左右方向及び上下方向の軸は、図１の紙面上における前後方向、左右方向及び上下方向の軸を左右方向の軸を中心として１８０度回転させたものである。
【００４０】
雄コネクタ５０は、例えば、回路基板、より具体的にはフレキシブル基板上の配線上に実装され、図１０及び図１１Ａ〜図１１Ｃに示すように、固定端子５２、接続端子５４ａ〜５４ｃ及び絶縁性部材５６を備えている。
【００４１】
固定端子５２は、接地電位に接続される導体であり、図１２Ａ及び図１２Ｂに示すように、下側から見たときに、長方形状の環の一部が切り欠かれた形状を有している。長方形状を有する固定端子５２の長方形状の環の長辺は、左右方向に延在し、長方形状の環の短辺は前後方向に延在している。固定端子５２は、一枚の金属板に折り曲げ加工が施されることにより作製され、例えば、リン青銅等の銅系材料により作製されている。
【００４２】
固定端子５２は、本体部６１、突起部６４ａ，６４ｂ及び接続部６６を含んでいる。本体部６１は、上部６０及び下部６２ａ〜６２ｄを有している。上部６０は、上下方向に延在する中心軸の周囲を周回する帯状の導体であり、上側から見たときに、長方形状の環の一部が切り欠かれた形状を有している。本実施形態では、上部６０は、後ろ側の長辺の一部が切り欠かれた形状を有している。ただし、上部６０は、右側の短辺、左側の短辺、前側の長辺及び後ろ側の長辺の一部を有している。すなわち、上部６０は、長方形状の環の４つの辺に沿う部分を有している。また、上部６０の４つの角は、丸く加工されている。
【００４３】
また、上部６０の外周面には、図１２Ａに示すように、４つの角のそれぞれにおいて、凹部Ｇａ〜Ｇｄが設けられている（凹部Ｇｃは図示せず）。より詳細には、上部６０の外周面の左後ろの角には、凹部Ｇａが設けられている。上部６０の外周面の右後ろの角には、凹部Ｇｂが設けられている。上部６０の外周面の左前の角には、凹部Ｇｃが設けられている。上部６０の外周面の右前の角には、凹部Ｇｄが設けられている。
【００４４】
下部６２ａは、上部６０の左後ろの角下に接続されており、本体部６１の下端を構成している。また、下部６２ａは、下側から見たときに、１／４の円弧を２つ組み合わせた楕円形状を有している。そして、下部６２ａの外周面は、後ろ下側を向く面Ｓ１及び左下側を向く面Ｓ２を含んでいる。更に、面Ｓ１と面Ｓ２とは、１つの凸状の曲面を構成している。
【００４５】
下部６２ｂは、上部６０の右後ろの角下に接続されており、本体部６１の下端を構成している。また、下部６２ｂは、下側から見たときに、１／４の円弧を２つ組み合わせた楕円形状を有している。そして、下部６２ｂの外周面は、後ろ下側を向く面Ｓ３及び右下側を向く面Ｓ４を含んでいる。更に、面Ｓ３と面Ｓ４とは、１つの凸状の曲面を構成している。
【００４６】
下部６２ｃは、上部６０の左前の角下に接続されており、本体部６１の下端を構成している。また、下部６２ｃは、下側から見たときに、１／４の円弧を２つ組み合わせた楕円形状を有している。そして、下部６２ｃの外周面は、前下側を向く面Ｓ５及び左下側を向く面Ｓ６を含んでいる。更に、面Ｓ５と面Ｓ６とは、１つの凸状の曲面を構成している。
【００４７】
下部６２ｄは、上部６０の右前の角下に接続されており、本体部６１の下端を構成している。また、下部６２ｄは、下側から見たときに、１／４の円弧を２つ組み合わせた楕円形状を有している。そして、下部６２ｄの外周面は、前下側を向く面Ｓ７及び右下側を向く面Ｓ８を含んでいる。更に、面Ｓ７と面Ｓ８とは、１つの凸状の曲面を構成している。
【００４８】
突起部６４ａは、上部６０の左側の短辺の上端に接続されており、上部６０に対して右側に向かって折り曲げられている。突起部６４ｂは、上部６０の右側の短辺の上端に接続されており、上部６０に対して左側に向かって折り曲げられている。よって、突起部６４ａ，６４ｂは、上側から見たときに、長方形状の環の内側に向かって突出している。
【００４９】
接続部６６は、上部６０の前側の長辺の上端に接続されており、上部６０に対して前側に向かって折り曲げられている。
【００５０】
絶縁性部材５６は、上側から見たときに、八角形状を有するブロックであり、例えば、液晶ポリマー等の絶縁性の樹脂により作製されている。絶縁性部材５６は、固定端子５２及び接続端子５４ａ〜５４ｃを保持する。絶縁性部材５６の下面には、左右方向に延在する筋状の突起５７が設けられている。更に、突起５７には、前後方向に延在する溝Ｇ１１〜Ｇ１３が設けられている。溝Ｇ１１〜Ｇ１３は、左側から右側へとこの順に並んでいる。絶縁性部材５６は、図１１Ａ及び図１１Ｂに示すように、上側から見たときに、本体部６１に囲まれている。また、突起部６４ａ，６４ｂの先端は、絶縁性部材５６に刺さっている。すなわち、絶縁性部材５６は、突起部６４ａ，６４ｂにおいてのみ固定端子５２を保持している。これにより、上側から見たときに、本体部６１と絶縁性部材５６との間には隙間が設けられている。
【００５１】
接続端子５４ａ〜５４ｃはそれぞれ、信号電位又は接地電位に接続される導体である。本実施形態では、左右方向の両端に位置する接続端子５４ａ，５４ｃは信号接続されている信号端子である。また、接続端子５４ｂには接地電位が接続されている接地端子である。これにより、接続端子５４ａ〜５４ｃでは、信号端子と接地端子とが交互に配置されている。接続端子５４ａ〜５４ｃは、図１４に示すように、１本の棒状の導体が折り曲げ加工されることにより作製されており、例えば、リン青銅等の銅系材料により作製されている。接続端子５４ａ〜５４ｃは、接続部７０ａ〜７０ｃ及び接触部７２ａ〜７２ｃを含んでいる。
【００５２】
接触部７２ａ〜７２ｃは、右側から見たときに、上側が開口したＵ字型を有している。接続部７０ａ〜７０ｃはそれぞれ、接触部７２ａ〜７２ｃの上後ろ側の端部に接続されている。接続部７０ａ〜７０ｃはそれぞれ、右側から見たときに、直線状を有しており、接触部７２ａ〜７２ｃの上後ろ側の端部から後ろ側に向かって延在している。すなわち、接続端子５４ａ〜５４ｃはそれぞれ、下側から見たときに、接触部７２ａ〜７２ｃから後ろ側に向かって延在している。
【００５３】
以上のように構成された接続端子５４ａ〜５４ｃはそれぞれ、溝Ｇ１１〜Ｇ１３に取り付けられる。具体的には、接続端子５４ａ〜５４ｃはそれぞれ、接続部７０ａ〜７０ｃの後端及び接触部７２ａ〜７２ｃの外周面が絶縁性部材５６から露出するように、絶縁性部材５６に対して取り付けられる。これにより、接続端子５４ａ〜５４ｃの接触部７２ａ〜７２ｃは、下側から見たときに、長方形状の環の内部において左側から右側へとこの順に一列に並んでいる。
【００５４】
また、接続端子５４ａ〜５４ｃの接続部７０ａ〜７０ｃは、絶縁性部材５６の下側において後ろ側へと突出している。ここで、固定端子５２は、上側から見たときに、後ろ側の長辺の一部が切り欠かれている。そして、接続端子５４ａ〜５４ｃは、図１１Ａ及び図１１Ｂに示すように、上側から見たときに、固定端子５２の切り欠かれた部分を介して長方形状の環（すなわち、固定端子５２）の外側に引き出されている。
【００５５】
また、上側から見たときに、図１１Ｂに示すように、上部６０と接続端子５４ａとの最短距離Ｄ１１と突起部６４ａと接続端子５４ａとの最短距離Ｄ１２とは、実質的に等しい。同様に、上部６０と接続端子５４ｃとの最短距離Ｄ１１と突起部６４ｂと接続端子５４ｃとの最短距離Ｄ１２とは、実質的に等しい。更に、接続端子５４ａと接続端子５４ｂとの距離Ｄ１３及び接続端子５４ｂと接続端子５４ｃとの距離Ｄ１３は、最短距離Ｄ１１，Ｄ１２と実質的に等しい。
【００５６】
以上のように構成された雄コネクタ５０は、回路基板に実装される。具体的には、回路基板に設けられたランド電極に対して突起部６４ａ，６４ｂ、接続部６６及び接続部７０ａ〜７０ｃがはんだにより接続される。
【００５７】
（雄コネクタの製造方法）
次に、雄コネクタ５０の製造方法について図面を参照しながら説明する。図１５ないし図１７は、製造中における雄コネクタ５０の斜視図である。
【００５８】
まず、図１５に示すように、固定端子５２を準備する。固定端子５２は、例えば、リン青銅等の銅系材料が折り曲げ加工されることにより作製される。
【００５９】
次に、図１６に示すように、接続端子５４ａ〜５４ｃを固定端子５２内に配置する。
【００６０】
次に、図１７に示すように、射出成形により、絶縁性部材５６を成形する。この際、固定端子５２の突起部６４ａ，６４ｂの先端が絶縁性部材５６に埋め込まれると共に、接続端子５４ａ〜５４ｃの一部が絶縁性部材５６に埋め込まれるように、絶縁性部材５６を固定端子５２及び接続端子５４ａ〜５４ｃと一体的にインサートモールド成形する。接続端子５４ａ〜５４ｃは、絶縁性部材１６と一体的に成形されているので、殆ど変形できない。以上の工程により、雄コネクタ５０が完成する。
【００６１】
（コネクタセットの構成）
次に、コネクタセット１００の構成について図面を参照しながら説明する。図１８Ａは、コネクタセット１００の外観斜視図である。図１８Ｂは、コネクタセット１００を上側から見た図である。図１８Ｃは、コネクタセット１００を前側から見た図である。図１８Ｄは、図１８Ｃのコネクタセット１００のＤ−Ｄにおける断面構造図である。図１８Ｅは、図１８Ｃのコネクタセット１００のＥ−Ｅにおける断面構造図である。
【００６２】
コネクタセット１００は、雌コネクタ１０及び雄コネクタ５０を備えており、回路基板間の高周波信号（６ＧＨｚ程度）の伝送の中継を行う。図１８Ａ〜図１８Ｅに示すように、雌コネクタ１０と雄コネクタ５０とが結合する際には、雄コネクタ５０の固定端子５２が雌コネクタ１０の固定端子１２に対して上側から挿入されている。雌コネクタ１０の下部２０の内周面は、上側から見たときに、雄コネクタ５０の上部６０の外周面よりもわずかに小さく形成されている。そのため、固定端子１２の下部２０の内周面に対して固定端子５２の上部６０の外周面が圧接している。更に、凸部Ｐａ〜Ｐｄのそれぞれが、凹部Ｇａ〜Ｇｄに対して係合している。これにより、固定端子１２，５２は、雌コネクタ１０と雄コネクタ５０との結合を保持している。
【００６３】
また、接続端子５４ａ〜５４ｃの接触部７２ａ〜７２ｃはそれぞれ、接続端子１４ａ〜１４ｃの接触部３２ａ〜３２ｃに挿入される。具体的には、接触部３２ａ〜３２ｃの上側を向く開口のそれぞれを介して、上側から接触部７２ａ〜７２ｃがそれぞれ接触部３２ａ〜３２ｃに挿入される。前記の通り、絶縁性部材１６は、接触部３２ａ〜３２ｃと一体的に成形されていない。したがって、接触部３２ａ〜３２ｃはそれぞれ、接触部７２ａ〜７２ｃが挿入される際に、弾性変形して僅かに前後方向に広がることができる。これにより、接触部３２ａ〜３２ｃの内周面はそれぞれ、接触部７２ａ〜７２ｃの外周面に対して圧接するようになる。
【００６４】
以上のように、接続端子１４ａと接続端子５４ａとは、雌コネクタ１０と雄コネクタ５０とが結合すると、接触部３２ａ，７２ａにおいて接触する。また、接続端子１４ｂと接続端子５４ｂとは、雌コネクタ１０と雄コネクタ５０とが結合すると、接触部３２ｂ，７２ｂにおいて接触する。また、接続端子１４ｃと接続端子５４ｃとは、雌コネクタ１０と雄コネクタ５０とが結合すると、接触部３２ｃ，７２ｃにおいて接触する。
【００６５】
また、固定端子１２と固定端子５２とは、雌コネクタ１０と雄コネクタ５０とが結合すると、上側から見たときに、接触部３２ａ〜３２ｃ，７２ａ〜７２ｃを囲む長方形状の環を有している。より詳細には、固定端子１２の本体部２１は、上側から見たときに、長方形状の環の前側の長辺の一部が切り欠かれた形状を有している。一方、固定端子５２の本体部６１は、上側から見たときに、長方形状の環の後ろ側の長辺の一部が切り欠かれた形状を有している。すなわち、上側から見たときに重ならないように固定端子１２において切り欠かれた部分と固定端子５２において切り欠かれた部分とは異なった位置に設けられている。したがって、固定端子５２が固定端子１２に挿入されると、固定端子１２及び固定端子５２は、長方形状の環を構成するようになる。そして、接触部３２ａ〜３２ｃは、上側から見たときに、長方形状の環の内部において左側から右側へとこの順に一列に並んでいる。接触部７２ａ〜７２ｃは、上側から見たときに、長方形状の環の内側において左側から右側へとこの順に一列に並んでいる。
【００６６】
（雄コネクタの雌コネクタへの取り付け）
以下に、雄コネクタ５０の雌コネクタ１０への取り付けについて図面を参照しながら説明する。図１９Ａは、コネクタセット１００を前側から見た図である。図１９Ｂは、図１９Ａのコネクタセット１００のＡ−Ａにおける断面構造図である。図１９Ｃは、図１９Ａのコネクタセット１００のＨ−Ｈにおける断面構造図である。図２０Ａは、コネクタセット１００を前側から見た図である。図２０Ｂは、図２０Ａのコネクタセット１００のＢ−Ｂにおける断面構造図である。図２０Ｃは、図２０Ａのコネクタセット１００のＧ−Ｇにおける断面構造図である。図２１Ａは、コネクタセット１００を前側から見た図である。図２１Ｂは、図２１Ａのコネクタセット１００のＣ−Ｃにおける断面構造図である。図２１Ｃは、図２１Ａのコネクタセット１００のＦ−Ｆにおける断面構造図である。
【００６７】
雌コネクタ１０の真上から雄コネクタ５０を下降させて、雌コネクタ１０に挿入することが好ましい。ただし、雌コネクタ１０の真上からずれた位置から雄コネクタ５０を下降させる場合もある。本実施形態に係るコネクタセット１００では、このように雌コネクタ１０の真上からずれた位置から雄コネクタ５０を下降させた場合であっても、雄コネクタ５０を雌コネクタ１０に対して挿入することができる。以下では、図１９Ａ〜図１９Ｃに示すように、雌コネクタ１０に対して後ろ側にずれた位置から雄コネクタ５０を下降させた場合を例に挙げて説明する。
【００６８】
図１９Ａ〜図１９Ｃに示す状態から雄コネクタ５０を下降させると、図２０Ａ〜図２０Ｃに示すように、下部６２ａ，６２ｂの面Ｓ１１，Ｓ１３（図３Ｂ参照）がそれぞれ上部２２ａ，２２ｂの面Ｓ１，Ｓ３（図１２Ｂ参照）に接触する。面Ｓ１１，Ｓ１３は、後ろ上側を向く凸状の曲面を有している。また、面Ｓ１，Ｓ３は、前下側を向く凸状の曲面を有している。そのため、雄コネクタ５０を更に下降させると、雄コネクタ５０は、面Ｓ１１，Ｓ１３上を滑って前下側へと移動する。その結果、図２１Ａ〜図２１Ｃに示すように、雄コネクタ５０が雌コネクタ１０の真上に位置するようになる。そして、雄コネクタ５０を更に下降させることにより、図１８Ｃ〜図１８Ｅに示すように、雄コネクタ５０が雌コネクタ１０に挿入される。
【００６９】
なお、雌コネクタ１０に対して前側にずれた位置から雄コネクタ５０を下降させた場合、雌コネクタ１０に対して右側にずれた位置から雄コネクタ５０を下降させた場合、及び、雌コネクタ１０に対して左側にずれた位置から雄コネクタ５０を下降させた場合であっても、同じ理由により、雄コネクタ５０を雌コネクタ１０に対して挿入することができる。
【００７０】
（効果）
本実施形態に係るコネクタセット１００によれば、耐ノイズ性を向上させることができる。より詳細には、固定端子１２と固定端子５２とは、雌コネクタ１０と雄コネクタ５０とが結合すると、上側から見たときに、接触部３２ａ〜３２ｃ，７２ａ〜７２ｃを囲む環を有している。また、固定端子１２，５２には、接地電位に接続されている。よって、接続端子１４ａ〜１４ｃ，５４ａ〜５４ｃは、前後左右方向においてシールドされている。そのため、前後左右方向からノイズが接続端子１４ａ〜１４ｃ，５４ａ〜５４ｃに侵入することが抑制される。以上より、コネクタセット１００によれば、耐ノイズ性を向上させることができる。
【００７１】
また、コネクタセット１００では、接続端子１４ａ〜１４ｃ，５４ａ〜５４ｃは、前後左右方向においてシールドされている。そのため、コネクタセット１００によれば、前後左右方向からノイズが接続端子１４ａ〜１４ｃ，５４ａ〜５４ｃから放射することを抑制できる。
【００７２】
また、雄コネクタ５０によれば、以下の理由によっても、耐ノイズ性を向上させることができる。より詳細には、固定端子１２の下部２０は、上側から見たときに、接触部３２ａ〜３２ｃを囲む長方形状の環の４つの辺に沿う部分を有していると共に、長方形状の環の一部が切り欠かれた形状を有している。そのため、雄コネクタ５０では、接触部３２ａ〜３２ｃの前後左右方向には、接地電位に接続された固定端子５２が存在している。これにより、接続端子５４ａ〜５４ｃは、前後左右方向においてシールドされている。そのため、前後左右方向からノイズが接続端子５４ａ〜５４ｃに侵入することが抑制される。以上より、雄コネクタ５０によれば、耐ノイズ性を向上させることができる。なお、雌コネクタ１０も、同様の理由により、耐ノイズ性を向上させることができる。
【００７３】
また、雄コネクタ５０では、接続端子５４ａ〜５４ｃは、前後左右方向においてシールドされている。そのため、雄コネクタ５０によれば、接続端子５４ａ〜５４ｃがノイズを前後左右方向に放射することを抑制できる。なお、雌コネクタ１０も、同様の理由により、接続端子１４ａ〜１４ｃがノイズを前後左右方向に放射することを抑制できる。
【００７４】
また、雌コネクタ１０、雄コネクタ５０及びコネクタセット１００によれば、雌コネクタ１０と雄コネクタ５０との結合時に接続端子１４ａ〜１４ｃ，５４ａ〜５４ｃが破損することを抑制できる。より詳細には、雌コネクタ１０の固定端子１２は、上部２２ａ，２２ｄを有している。上部２２ａは、下部２０の左後ろの角上に接続されており、本体部２１の上端を構成している。更に、上部２２ａの内周面は、前上側を向く面Ｓ１１及び右上側を向く面Ｓ１２を含んでいる。上部２２ｄは、下部２０の右前の角上に接続されており、本体部２１の上端を構成している。更に、上部２２ｄの内周面は、後ろ上側を向く面Ｓ１７及び左上側を向く面Ｓ１８を含んでいる。
【００７５】
一方、雄コネクタ５０の固定端子５２は、下部６２ａ，６２ｄを有している。下部６２ａは、上部６０の左後ろの角下に接続されており、本体部６１の下端を構成している。更に、下部６２ａの外周面は、後ろ下側を向く面Ｓ１及び左下側を向く面Ｓ２を含んでいる。下部６２ｄは、上部６０の右前の角下に接続されており、本体部６１の下端を構成している。更に、下部６２ｄの外周面は、前下側を向く面Ｓ７及び右下側を向く面Ｓ８を含んでいる。
【００７６】
以上のような雄コネクタ５０が雌コネクタ１０に対して上側から挿入されると、面Ｓ１と面Ｓ１１とが接触し、面Ｓ２と面Ｓ１２とが接触し、面Ｓ７と面Ｓ１７とが接触し、面Ｓ８と面Ｓ１８とが接触する。そのため、面Ｓ１，Ｓ２，Ｓ１１，Ｓ１２により、雌コネクタ１０と雄コネクタ５０との前後方向の位置決めがなされる。また、面Ｓ７，Ｓ８，Ｓ１７，Ｓ１８により、雌コネクタ１０と雄コネクタ５０との左右方向の位置決めがなされる。すなわち、雌コネクタ１０と雄コネクタ５０との前後左右方向の位置決めには、固定端子１２，５２が大きく寄与し、接続端子１４ａ〜１４ｃ，５４ａ〜５４ｃが大きく寄与しない。よって、雌コネクタ１０、雄コネクタ５０及びコネクタセット１００によれば、雌コネクタ１０と雄コネクタ５０との結合時に接続端子１４ａ〜１４ｃ，５４ａ〜５４ｃが破損することを抑制できる。
【００７７】
なお、固定端子５２は下部６２ｂ，６２ｃを有し、固定端子１２は上部２２ｂ，２２ｃを有している。よって、上部２２ｂ，２２ｃと下部６２ｂ，６２ｃによっても、雌コネクタ１０と雄コネクタ５０との前後左右方向の位置決めがなされる。よって、雌コネクタ１０、雄コネクタ５０及びコネクタセット１００によれば、雌コネクタ１０と雄コネクタ５０との結合時に接続端子１４ａ〜１４ｃ，５４ａ〜５４ｃが破損することを抑制できる。
【００７８】
また、雄コネクタ５０及びコネクタセット１００によれば、雄コネクタ５０を容易に製造することができる。より詳細には、絶縁性部材５６は、金型内に樹脂が射出されることにより成形される。よって、絶縁性部材５６を作製する際には、絶縁性部材５６が作製される空間の周囲を金型により囲む必要がある。ただし、絶縁性部材５６は、固定端子５２と一体的に成形される。したがって、固定端子５２が邪魔となって、金型を配置することが困難になる。
【００７９】
そこで、絶縁性部材５６は、図１１Ａ及び図１１Ｂに示すように、上側から見たときに、本体部６１に囲まれている。また、絶縁性部材５６は、突起部６４ａ，６４ｂにおいてのみ固定端子５２を保持している。これにより、上側から見たときに、本体部６１と絶縁性部材５６との間には隙間が設けられている。したがって、雄コネクタ５０では、隙間に金型を配置することが可能となる。その結果、雄コネクタ５０を容易に製造することが可能となる。また、絶縁性部材５６が固定端子５２と一体的に成形される場合には、絶縁性部材５６に固定端子５２がかしめにより取り付けられる場合に比べて、絶縁性部材５６と固定端子５２とが精度よく位置決めされるようになる。なお、同じ理由により、雌コネクタ１０によれば、雌コネクタ１０を容易に製造することができる。
【００８０】
また、雄コネクタ５０及びコネクタセット１００によれば、接続端子５４ａ〜５４ｃの特性インピーダンスを所定の特性インピーダンス（例えば、５０Ω）に設定することが容易となる。より詳細には、絶縁性部材５６は、図１１Ａ及び図１１Ｂに示すように、上側から見たときに、本体部６１に囲まれている。また、絶縁性部材５６は、突起部６４ａ，６４ｂにおいてのみ固定端子５２を保持している。これにより、上側から見たときに、本体部６１と絶縁性部材５６との間には隙間が設けられている。その結果、接続端子５４ａ〜５４ｃと固定端子５２との間に低い誘電率を有する空気からなる隙間が存在するようになる。よって、固定端子５２と接続端子５４ａ〜５４ｃとの間に形成される容量が大きくなることが抑制され、接続端子５４ａ〜５４ｃの特性インピーダンスが低くなることが抑制される。以上より、雄コネクタ５０及びコネクタセット１００によれば、接続端子５４ａ〜５４ｃの特性インピーダンスを所定の特性インピーダンス（例えば、５０Ω）に設定することが容易となる。なお、雌コネクタ１０においても、同様の理由により、接続端子１４ａ〜１４ｃの特性インピーダンスを所定の特性インピーダンス（例えば、５０Ω）に設定することが容易となる。
【００８１】
また、雄コネクタ５０及びコネクタセット１００によれば、固定端子５２及び接続端子５４ａ〜５４ｃをコプレナー構造とすることができる。より詳細には、固定端子５２及び接続端子５４ｂは、接地電位に接続される。一方、接続端子５４ａ，５４ｃは、信号電位に接続される。これにより、上側から見たときに、接続端子５４ａの左側には固定端子５２が位置し、接続端子５４ａの右側には接続端子５４ｂが位置するようになる。よって、固定端子５２及び接続端子５４ａ，５４ｂはコプレナー構造を有している。同様に、上側から見たときに、接続端子５４ｃの右側には固定端子５２が位置し、接続端子５４ｃの左側には接続端子５４ｂが位置するようになる。よって、固定端子５２及び接続端子５４ｂ，５４ｃはコプレナー構造を有している。固定端子５２及び接続端子５４ａ〜５４ｃがコプレナー構造を有することにより、接続端子５４ａ，５４ｃの特性インピーダンスを所定の特性インピーダンスに設定することが容易となる。また、左右方向から接続端子５４ａ，５４ｃにノイズが侵入すること、及び、左右方向に接続端子５４ａ，５４ｃからノイズが放射することが抑制される。なお、雌コネクタ１０においても、同様の理由により、接続端子１４ａ，１４ｃの特性インピーダンスを所定の特性インピーダンスに設定することが容易となる。また、左右方向から接続端子１４ａ，１４ｃにノイズが侵入すること、及び、左右方向に接続端子１４ａ，１４ｃからノイズが放射することが抑制される。
【００８２】
また、雄コネクタ５０及びコネクタセット１００によれば、接続端子５４ａ，５４ｃの特性インピーダンスを全長にわたって均一に近づけることが容易となる。より詳細には、上側から見たときに、図１１Ｂに示すように、上部６０と接続端子５４ａとの最短距離Ｄ１１と突起部６４ａと接続端子５４ａとの最短距離Ｄ１２とは、実質的に等しい。更に、接続端子５４ａと接続端子５４ｂとの距離Ｄ１３は、最短距離Ｄ１１，Ｄ１２と実質的に等しい。よって、接続端子５４ａに発生する単位長さ当たりの浮遊容量を全長にわたって均一に近づけることが可能となる。よって、接続端子５４ａの特性インピーダンスを全長にわたって均一に近づけることが可能となる。同じ理由により、接続端子５４ｃの特性インピーダンスを全長にわたって均一に近づけることができる。また、同じ理由により、接続端子１４ａ，１４ｃの特性インピーダンスを全長にわたって均一に近づけることができる。
【００８３】
また、雄コネクタ５０では、接続端子５４ａ〜５４ｃは、上側から見たときに、環の外部に引き出されている。これにより、接続端子５４ａ〜５４ｃに端子を接触させて検査を行うことが容易となる。更に、接続端子５４ａ〜５４ｃを回路基板のランド電極に容易にはんだ付けできるようになる。同じ理由により、雌コネクタ１０においても、接続端子１４ａ〜１４ｃに端子を接触させて検査を行うことが容易となる。更に、接続端子１４ａ〜１４ｃを回路基板のランド電極に容易にはんだ付けできるようになる。
【００８４】
また、コネクタセット１００では、信号の干渉が抑制される。より詳細には、特許文献１に記載の基板対基板コネクタでは、第１端子と第２端子とは、互いに接続されると、Ｕ字型を有するので、上下方向に互いに重なる。そのため、互いに近接する第１端子と第２端子との間に発生する容量成分又は誘導成分によって、信号の干渉が発生するおそれがある。
【００８５】
一方、コネクタセット１００では、接続端子１４ａ〜１４ｃはそれぞれ、上側から見たときに、接触部３２ａ〜３２ｃから前側に向かって延在している。また、接続端子５４ａ〜５４ｃはそれぞれ、上側から見たときに、接触部７２ａ〜７２ｃから後ろ側に向かって延在している。そして、接触部３２ａ〜３２ｃはそれぞれ、接続端子５４ａ〜５４ｃと接続される。これにより、接続端子１４ａと接続端子５４ａとは前後方向に一直線に延在し、接続端子１４ｂと接続端子５４ｂとは前後方向に一直線に延在し、接続端子１４ｃと接続端子５４ｃとは前後方向に一直線に延在する。よって、接続端子１４ａ〜１４ｃはそれぞれ、接続端子５４ａ〜５４ｃと上下方向に重なることが抑制される。その結果、コネクタセット１００では、信号の干渉が抑制される。
【００８６】
また、コネクタセット１００では、耐ノイズ性を向上させることが容易である。より詳細には、特許文献１に記載の基板対基板コネクタでは、第１端子と第２端子とは、互いに接続されると、Ｕ字型を有する。すなわち、第１端子と第２端子とが上下に２段に配置されている。そのため、第１ハウジングの一方の長辺近傍には、シールドのための導体を配置するスペースを確保することが困難である。よって、第１端子及び第２端子の周囲をシールドのための導体で囲むことが困難である。
【００８７】
一方、コネクタセット１００では、接続端子１４ａと接続端子５４ａとは前後方向に一直線に延在し、接続端子１４ｂと接続端子５４ｂとは前後方向に一直線に延在し、接続端子１４ｃと接続端子５４ｃとは前後方向に一直線に延在する。よって、接続端子１４ａ〜１４ｃと接続端子５４ａ〜５４ｃが上下に二段に配置されていない。そのため、接続端子１４ａ〜１４ｃの上側に固定端子５２を配置し、接続端子５４ａ〜５４ｃの下側に固定端子１２を配置することが可能となる。すなわち、上側から見たときに、接触部３２ａ〜３２ｃ，７２ａ〜７２ｃを固定端子１２，５２により囲むことが可能となる。その結果、コネクタセット１００では、耐ノイズ性を向上させることが容易である。また、コネクタセット１００では、ノイズが外部に放射されることを抑制することができる。
【００８８】
また、コネクタセット１００では、接続端子１４ａ〜１４ｃ及び接続端子５４ａ〜５４ｃが一列に並んでいるので、コネクタセット１００の小型化を図ることができる。また、接続端子１４ａ〜１４ｃ及び接続端子５４ａ〜５４ｃが一列に並んでいるので、ピッチずれの影響が少なくなり、雌コネクタ１０と雄コネクタ５０との結合力の変化や篏合力の変動が抑制される。
【００８９】
また、コネクタセット１００では、雌コネクタ１０と雄コネクタ５０との結合には、固定端子１２，５２が大きく寄与しており、接続端子１４ａ〜１４ｃ，５４ａ〜５４ｃが殆ど寄与していない。よって、接続端子１４ａ〜１４ｃ，５４ａ〜５４ｃの数が変更されても、雌コネクタ１０と雄コネクタ５０との結合の強度が大きく変動しない。
【００９０】
また、コネクタセット１００では、雌コネクタ１０と雄コネクタ５０とを結合させる際に、絶縁性部材１６，５６が摩耗することが抑制される。より詳細には、雌コネクタ１０に対して前後左右方向にずれた位置から雄コネクタ５０を下降させた場合には、固定端子１２と固定端子５２とが接触することにより、雌コネクタ１０と雄コネクタ５０との前後左右方向の位置合わせが行われる。位置合わせの際に、絶縁性部材１６は固定端子５２と接触せず、絶縁性部材５６は固定端子１２と接触しない。更に、位置合わせの際に、絶縁性部材１６と絶縁性部材５６とも接触しない。その結果、絶縁性部材１６，５６が摩耗することが抑制される。
【００９１】
（変形例）
変形例であるコネクタセットの雌コネクタ１０Ａと、一実施形態に係るコネクタセットの雌コネクタ１０との相違点は、図２２に示すように、変形例であるコネクタセットの雌コネクタ１０Ａには、２本の同軸ケーブルが接続できる点である。以下で、具体的に説明する。
【００９２】
雌コネクタ１０Ａの固定端子１２には、突起部２４ａ，２４ｂが存在しない。その代わりに、図２３に示すように、下部２０の後側の下端から前側に向かって伸びる板状の底板２７が設けられている。底板２７は、上下方向から見たとき、Ｃ字型の形状を成す下部２０の略全てを覆っており、さらに、前方向に伸びている。また、底板２７の前側の端部は、二股に分かれている。そして、この二股に分かれている部分を、左側からカシメ部２７ａ，２７ｂと称し、底板２７におけるカシメ部２７ａ，２７ｂ以外の部分を平板部２７ｃと称す。
【００９３】
同軸ケーブルが取り付けられていない状態で、カシメ部２７ａを前方向から見ると、該カシメ部２７ａは、略Ｌ字型の形状を成している。また、カシメ部２７ａの内側の面には、同軸ケーブルが取り付けられた際に、該同軸ケーブルの抜けを防止するための、複数の突起が形成されている。このようなカシメ部２７ａに上側から同軸ケーブルをはめ込み、カシメ部２７ａが成すＬ字の上部を右方向、さらに、下方向に折り曲げることで、同軸ケーブルの周囲がカシメ部２７ａに覆われ、同軸ケーブルが雌コネクタ１０Ａに固定される。
【００９４】
また、カシメ部２７ｂを、同軸ケーブルが取り付けられていない状態で後方向から見ると、該カシメ部２７ｂは、略Ｌ字型の形状を成している。そして、カシメ部２７ｂの内側の面にも、同軸ケーブルが取り付けられた際に、該同軸ケーブルの抜けを防止するための、複数の突起が形成されている。このようなカシメ部２７ｂに上側から同軸ケーブルをはめ込み、カシメ部２７ｂが成すＬ字の上部を左方向、さらに、下方向に折り曲げることで、同軸ケーブルの周囲がカシメ部２７ｂに覆われ、同軸ケーブルが固定される。
【００９５】
平板部２７ｃの略中央には切り抜きＱがある。切り抜きＱの形状は、前後方向に引き伸ばされたようなＸ字型を成している。また、平板部２７ｃにおいて、切り抜きＱの前側に隣接し該切り抜きＱの中央に向かって張り出している張り出し部Ｒは、上側に向かって押し出されるように曲げられている。これにより、張り出し部Ｒは、平板部２７ｃの他の部分よりも上側に位置している。さらに、張り出し部Ｒの後端付近の上面には、略円形の突起がある。この突起は、接続端子１４ｂと接触する。なお、この張り出し部Ｒは、雌コネクタ１０Ａに２本の同軸ケーブルが取り付けられると、左右方向において、それら同軸ケーブルの間に位置する。
【００９６】
ところで、雌コネクタ１０Ａの固定端子１２を上側から見ると、平板部２７ｃの後側の半分の領域上に下部２０が位置し、残りの前半分の領域Ｔの前端にカシメ部２７ａ，２７ｂが接続されている。この平板部２７ｃにおける領域Ｔの左右方向の端部（以下で、該端部を側壁と称す）は、同軸ケーブルが取り付けられていない状態で、上側に向かって折り曲げられている。そして、固定端子１２に同軸ケーブルが取り付けられた際に、領域Ｔの左右方向の側壁を固定端子１２の中央に向かって折り曲げることで、カシメ部２７ａ，２７ｂと共に２本の同軸ケーブルが固定される。また、固定端子１２の底板２７における領域Ｔの後ろ側、かつ、領域Ｔの左右方向の側壁付近には、腕部９９が設けられている（図２３では右側のみ図示している）。左右両側に位置する腕部９９は、同軸ケーブル保持部１６ｂを組み込むことで上方向から圧接され、さらに領域Ｔをかしめることで上下方向に固定される。また腕部９９は左右方向で領域Ｔの側壁と接している。これにより、コネクタセットの挿抜時に固定端子１２が上下及び左右方向に変形することを防止している。
【００９７】
変形例であるコネクタセットの雌コネクタ１０Ａも、３つの接続端子１４ａ〜１４ｃを有している。これら３つの接続端子１４ａ〜１４ｃの役割は、一実施形態に係るコネクタセットの雌コネクタ１０と同様である。つまり、左右方向の両側に位置する接続端子１４ａ，１４ｃは信号端子であり、中央に位置する１４ｂは接地端子である。ただし、雌コネクタ１０Ａにおける接続端子１４ａ〜１４ｃの形状は、雌コネクタ１０における接続端子１４ａ〜１４ｃの形状と一部が異なる。
【００９８】
雌コネクタ１０Ａにおける接続端子１４ａ〜１４ｃでは、前側の端部が、雌コネクタ１０における接続端子１４ａ〜１４ｃの前側の端部よりも、前方向に引き延ばされている。また、雌コネクタ１０Ａにおける接続端子１４ａ，１４ｂの前側の端部は、上側に折り曲げられ、該折り曲げられた部分の中央に上下方向に伸びる溝Ｎ１，Ｎ２が設けられている。この溝Ｎ１，Ｎ２は、固定端子１２に同軸ケーブルが取り付けられた際に、該同軸ケーブルの内部導体を挟み込むための溝である。さらに、雌コネクタ１０Ａにおける接続端子１４ｂの前方向に引き延ばされた部分は、該接続端子１４ｂを固定端子１２に取り付けることで、上述の固定端子１２における張り出し部Ｒと接続される。
【００９９】
変形例であるコネクタセットの雌コネクタ１０Ａにおける絶縁性部材１６は、端子保持部１６ａ、同軸ケーブル保持部１６ｂ及び絶縁底部１６ｃに分けることができる。なお、以下では、絶縁性部材１６を３つの部分に分けて説明するが、実際には、インサート成形により一つの部材として作製される。
【０１００】
端子保持部１６ａは、固定端子１２における下部２０で囲まれた部分に設けられており、略直方体状を成している。また、接続端子１４ａ〜１４ｃが収まる溝Ｇ１〜Ｇ３の形状は、一実施形態に係るコネクタセットの雌コネクタ１０と同様である。
【０１０１】
同軸ケーブル保持部１６ｂは、端子保持部１６ａの前側の外縁と接続され、上下方向から見たとき、前方向に開口部を有するコの字型の形状を成している。そして、雌コネクタ１０Ａに２本の同軸ケーブルが取り付けられると、同軸ケーブル保持部１６ｂが成すコの字型の内側にそれら同軸ケーブルが収まる。
【０１０２】
絶縁底部１６ｃは、平板状を成し、上下方向において、固定端子１２の平板部２７ｃと接続端子１４ａ〜１４ｃとの間に位置している。これにより、固定端子１２と接続端子１４ａ，１４ｂとが隔離され、絶縁される。ただし、絶縁底部１６ｃの一部は切り抜かれており、該部分で接続端子１４ｂと固定端子１２の張り出し部Ｒが接触している。また、絶縁底部１６ｃにおける前側の端部には、上側に伸びる直方体状の突起Ｍ１が設けられている。突起Ｍ１は、雌コネクタ１０Ａに２本の同軸ケーブルが取り付けられると、左右方向において、それら同軸ケーブルの間に配置される。従って、絶縁底部１６ｃが有する突起Ｍ１により、取り付けられた２本の同軸ケーブル間で一定の距離が保たれる。
【０１０３】
以上のように構成された変形例であるコネクタセットの雌コネクタ１０Ａは、２本の同軸ケーブルを接続することができる。
【０１０４】
また、雌コネクタ１０Ａでは、接地電位に保たれている接続端子１４ｂと固定端子１２とが張り出し部Ｒにおいて接続されている。これにより、固定端子１２の体積分だけ接地電位に接続される体積が増加する。従って、接続端子１４ｂの電位が、該接続端子１４ｂと固定端子１２とを接続しない場合と比較して、より安定する。
【０１０５】
さらに、雌コネクタ１０Ａに２本の同軸ケーブルが取り付けられると、固定端子１２の張り出し部Ｒが、それら同軸ケーブルの間に位置する。また、張り出し部Ｒは、固定端子１２の一部であり、接地電位に保たれている。つまり、雌コネクタ１０Ａに取り付けられた２本の同軸ケーブルの間には、接地電位に保たれた張り出し部Ｒが位置している。これにより、変形例であるコネクタセットの雌コネクタ１０Ａでは、２本の同軸ケーブル間でのクロストークを抑制することができる。変形例における他の構成は一実施形態と同様である。従って、変形例において上記以外の部分の説明は一実施形態での説明のとおりである。
【０１０６】
（その他の実施形態）
本発明に係るコネクタ及びコネクタセットは、雌コネクタ１０、雄コネクタ５０及びコネクタセット１００に限らずその要旨の範囲内において変更可能である。雌コネクタ１０を第１のコネクタとして、雄コネクタ５０を第２のコネクタとして設定したが、雄コネクタ５０を第１のコネクタとして、雌コネクタ１０を第２のコネクタとして設定することができる。
【０１０７】
雌コネクタ１０と雄コネクタ５０との前後左右方向の位置決めを行うためには、固定端子１２が上部２２ａ，２２ｄを有し、かつ、固定端子５２が下部６２ａ，６２ｄを有していればよい。すなわち、固定端子１２が上部２２ｂ，２２ｃを必ずしも有していなくてもよいし、固定端子５２が下部６２ｂ，６２ｃを必ずしも有していなくてもよい。また、固定端子１２が上部２２ｂ，２２ｃを有し、かつ、固定端子５２が下部６２ｂ，６２ｃを有していればよい。この場合、固定端子１２が上部２２ａ，２２ｄを必ずしも有していなくてもよいし、固定端子５２が下部６２ａ，６２ｄを必ずしも有していなくてもよい。
【０１０８】
また、固定端子１２と固定端子５２とは、上側から見たときに、長方形状の環を有しているが、長方形状以外の楕円形状や長円形状等の環を有していてもよい。
【０１０９】
また、固定端子１２と絶縁性部材１６との間には空間が設けられているが、この空間に絶縁性部材１６よりも低い比誘電率を有する材料が充填されてもよい。これにより、雌コネクタ１０の強度を向上させることができる。同様に、固定端子５２と絶縁性部材５６との間の空間に絶縁性部材５６よりも低い比誘電率を有する材料が充填されてもよい。
【０１１０】
また、接続端子１４ａ〜１４ｃは、２つ以上設けられていればよい。同様に、接続端子５４ａ〜５４ｃは、２つ以上設けられていればよい。
【０１１１】
また、接続端子１４ａ〜１４ｃ，５４ａ〜５４ｃは、信号電位が印加される信号端子のみで構成されていてもよい。
【産業上の利用可能性】
【０１１２】
以上のように、本発明は、コネクタセット及びコネクタに有用であり、特に、耐ノイズ性を向上させることができる点において優れている。
【符号の説明】
【０１１３】
１０，１０Ａ：雌コネクタ
１２，５２：固定端子
１４ａ〜１４ｃ，５４ａ〜５４ｃ：接続端子
１６，５６：絶縁性部材
２０，６２ａ〜６２ｄ：下部
２１，６１：本体部
２２ａ〜２２ｄ，６０：上部
２４ａ，２４ｂ，６４ａ，６４ｂ：突起部
２６，３０ａ〜３０ｃ，６６、７０ａ〜７０ｃ：接続部
２７ａ，２７ｂ  カシメ部
３２ａ〜３２ｃ，７２ａ〜７２ｃ：接触部
５０：雄コネクタ
１００：コネクタセット
Ｇａ〜Ｇｄ：凹部
Ｐａ〜Ｐｄ：凸部
Ｓ１〜Ｓ８，Ｓ１１〜Ｓ１８：面
【図１】
0006269558.tif 000002
【図２Ａ】
0006269558.tif 000003
【図２Ｂ】
0006269558.tif 000004
【図２Ｃ】
0006269558.tif 000005
【図３Ａ】
0006269558.tif 000006
【図３Ｂ】
0006269558.tif 000007
【図４】
0006269558.tif 000008
【図５】
0006269558.tif 000009
【図６】
0006269558.tif 000010
【図７】
0006269558.tif 000011
【図８】
0006269558.tif 000012
【図９】
0006269558.tif 000013
【図１０】
0006269558.tif 000014
【図１１Ａ】
0006269558.tif 000015
【図１１Ｂ】
0006269558.tif 000016
【図１１Ｃ】
0006269558.tif 000017
【図１２Ａ】
0006269558.tif 000018
【図１２Ｂ】
0006269558.tif 000019
【図１３】
0006269558.tif 000020
【図１４】
0006269558.tif 000021
【図１５】
0006269558.tif 000022
【図１６】
0006269558.tif 000023
【図１７】
0006269558.tif 000024
【図１８Ａ】
0006269558.tif 000025
【図１８Ｂ】
0006269558.tif 000026
【図１８Ｃ】
0006269558.tif 000027
【図１８Ｄ】
0006269558.tif 000028
【図１８Ｅ】
0006269558.tif 000029
【図１９Ａ】
0006269558.tif 000030
【図１９Ｂ】
0006269558.tif 000031
【図１９Ｃ】
0006269558.tif 000032
【図２０Ａ】
0006269558.tif 000033
【図２０Ｂ】
0006269558.tif 000034
【図２０Ｃ】
0006269558.tif 000035
【図２１Ａ】
0006269558.tif 000036
【図２１Ｂ】
0006269558.tif 000037
【図２１Ｃ】
0006269558.tif 000038
【図２２】
0006269558.tif 000039
【図２３】
0006269558.tif 000040